(57)【要約】【課題】  ラジアントチューブバーナ装置の設置条件又は熱変形の影響を受けずに、燃焼排ガスの窒素酸化物濃度の増加を確実に防止する。【解決手段】  バーナ装置は、円形プレート(10)、環状エアスロート部(2)、円筒形外周カバー(30)及び伝熱管(11,16) を有する。外周カバーの前端部は、円形プレートの外縁部と一体化し、エアスロート部の二次燃焼空気が円形プレートの外周から空気希釈室(3)に漏出するのを防止する。本発明によれば、ラジアントチューブバーナ装置の設置条件又は熱変形の影響を受けずに、燃焼排ガスの窒素酸化物濃度の増加を確実に防止することができる。【選択図】  図4
2004279024.tif 000002
【特許請求の範囲】
【請求項１】
主燃焼室(4) を形成するラジアントチューブ(14)と、該チューブの両端部に配置されたバーナユニット(15)とを備え、バーナユニットは、二次燃焼空気及び燃焼排ガスと交互に伝熱接触可能な蓄熱体(13)と、該蓄熱体を貫通する一次燃焼空気及び燃料の各流路(17,18) とを備えた交互燃焼式蓄熱型ラジアントチューブバーナ装置において、
前記バーナユニット(15)と前記主燃焼室(4) との間に配置された円形プレート(10)と、該円形プレートと前記蓄熱体との間に形成され且つ前記蓄熱体を通過した二次燃焼空気が流入する環状エアスロート部(2) と、前記円形プレートの外縁部から前記蓄熱体の外縁部に延びる円筒形外周カバー(30)と、前記円形プレートの前方に突出し且つ前記主燃焼室に開口する伝熱管(16) とを有し、
燃料噴射口(17a) 及び一次燃焼空気吐出口(18a,18b) が前記伝熱管内に開口し、該伝熱管の管内領域は、一次燃焼空気及び燃料を混合する一次燃焼室(1) を構成し、前記主燃焼室に開口した環状の空気希釈室(3) が、伝熱管先端部の外周に形成され、前記円形プレートは、前記エアスロート部及び空気希釈室を相互連通する開口部(12)を有し、
前記外周カバーの前端部は、前記エアスロート部の二次燃焼空気が前記円形プレートの外周から前記空気希釈室に漏出するのを防止するように前記円形プレートの外縁部と一体化することを特徴とする交互燃焼式蓄熱型ラジアントチューブバーナ装置。
【請求項２】
前記外周カバーは、軸線方向の熱変形をラジアントチューブ及び蓄熱体に拘束されない状態でラジアントチューブ内に収容されることを特徴とする請求項１に記載の交互燃焼式蓄熱型ラジアントチューブバーナ装置。
【請求項３】
前記円形プレートの中心線(C) を中心とした所定半径Ｓの円(R) の径方向外側帯域に前記開口部(12)の中心（PC）を配置し、前記所定半径Ｓ＝（ラジアントチューブの内径寸法Ｄｔ＋伝熱管の外径寸法Ｄｒ）／４に設定したことを特徴とする請求項１又は２に記載の交互燃焼式蓄熱型ラジアントチューブバーナ装置。
【請求項４】
前記円形プレートの開口部(12)は、該円形プレートの中心角 (γ) ≦２５０°の角度範囲内に配置されることを特徴とする請求項１乃至３のいずれか１項に記載の交互燃焼式蓄熱型ラジアントチューブバーナ装置。
【請求項５】
前記円形プレートの開口部(12)の空気流速は、３０ｍ／ｓ以下に設定されることを特徴とする請求項１乃至４のいずれか１項に記載の交互燃焼式蓄熱型ラジアントチューブバーナ装置。
【請求項６】
前記燃料噴射口(17a) 及び一次燃焼空気吐出口（18a,18b)は、前記円形プレートの平面内又は該平面の前方に配置されることを特徴とする請求項１乃至５のいずれか１項に記載の交互燃焼式蓄熱型ラジアントチューブバーナ装置。
【請求項７】
前記燃料噴射口(17a) 及び一次燃焼空気吐出口（18a,18b)を囲む保炎管(41)が、前記伝熱管内に配置され、パイロット燃料を噴射するパイロット燃料噴射口(40)が前記保炎管内に開口することを特徴とする請求項１乃至６のいずれか１項に記載の交互燃焼式蓄熱型ラジアントチューブバーナ装置。
【請求項８】
主燃焼室(4) を形成するラジアントチューブ(14)と、該チューブの両端部に配置されたバーナユニット(15)とを有し、該バーナユニットは、二次燃焼空気及び燃焼排ガスと交互に伝熱接触可能な蓄熱体(13)と、該蓄熱体を貫通する一次燃焼空気及び燃料の各流路(17,18) とを備えた交互燃焼式蓄熱型ラジアントチューブバーナ装置において、
前記バーナユニット(15)と前記主燃焼室(4) との間に配置された円形プレート(10)と、該円形プレートと前記蓄熱体との間に形成され且つ前記蓄熱体を通過した二次燃焼空気が流入する環状エアスロート部(2) と、前記円形プレートの外縁部から前記蓄熱体の外縁部に延びる円筒形外周カバー(30)と、前記円形プレートの前方に突出し且つ前記主燃焼室に開口する伝熱管(16) とを有し、
燃料噴射口(17a) 及び一次燃焼空気吐出口(18a,18b) が前記伝熱管内に開口し、該伝熱管の管内領域は、一次燃焼空気及び燃料を混合する一次燃焼室(1) を構成し、前記主燃焼室に開口した環状の空気希釈室(3) が、伝熱管先端部の外周に形成され、前記円形プレートは、前記エアスロート部及び空気希釈室を相互連通する開口部(12)を有し、
前記蓄熱体と前記円形プレートとの間の距離(L4)は、ラジアントチューブの内径(Dt)に対する比率(L4／Dt)が１．０以下に設定されることを特徴とする交互燃焼式蓄熱型ラジアントチューブバーナ装置。
【請求項９】
前記外周カバーと前記蓄熱体とは、軸線方向に相対変位可能に連結されることを特徴とする請求項８に記載の交互燃焼式蓄熱型ラジアントチューブバーナ装置。
【請求項１０】
前記円形プレートの開口部(12)の空気流速は、３０ｍ／ｓ以下に設定され、該開口部の排ガス流速は、３５ｍ／ｓ以下に設定されることを特徴とする請求項８又は９に記載の交互燃焼式蓄熱型ラジアントチューブバーナ装置。
【請求項１１】
前記外周カバーの厚さ(T)が、８mm以下であることを特徴とする請求項８乃至１０のいずれか１項に記載の交互燃焼式蓄熱型ラジアントチューブバーナ装置。
【請求項１２】
前記外周カバーは、耐熱性を有する金属合金板の曲げ加工品からなることを特徴とする請求項８乃至１１のいずれか１項に記載の交互燃焼式蓄熱型ラジアントチューブバーナ装置。
【請求項１３】
二次燃焼空気及び燃焼排ガスと交互に伝熱接触可能な蓄熱体(13)と、ラジアントチューブ(14)内の主燃焼室(4)との間に円形プレート(10)を配置し、円形プレートを貫通する伝熱管(11、16)を介して燃料及び一次燃焼空気を主燃焼室に供給するとともに、主燃焼室に開口した環状の空気希釈室(3)を伝熱管の先端部外周に形成し、蓄熱体と伝熱接触して加熱された高温の二次燃焼空気(A)を空気希釈室内に流入させ、二次燃焼空気の噴射流により主燃焼室の燃焼ガスを誘引しながら前記燃料及び一次燃焼空気と前記二次燃焼空気とを主燃焼室で混合する交互燃焼式蓄熱型ラジアントチューブバーナ装置内の燃焼方法において、
前記円形プレートの両側の領域は、円形プレートの外縁部における流体連通を遮断され、これらの領域の流体連通は、前記円形プレートの中心角 (γ) ≦２５０°の角度範囲内に配置した開口部(12)のみに限定され、該開口部の中心（PC）は、円形プレートの中心線(C) を中心とした所定半径Ｓの円（Ｒ）の径方向外側帯域に配置され、所定半径Ｓは、（ラジアントチューブの内径寸法Ｄt＋伝熱管の外径寸法Ｄr）／４に設定され、
前記開口部(12)は、３０ｍ／ｓ以下の流速で前記二次燃焼空気を前記空気希釈室に噴射するとともに、３５ｍ／ｓ以下の流速で前記主燃焼室の燃焼排ガスの噴流を前記蓄熱体に向かって差し向けることを特徴とする燃焼方法。
【請求項１４】
前記一次燃焼空気の供給量は、燃料の完全燃焼に要する理論空気量の１０〜２０％に設定されることを特徴とする請求項１３に記載の燃焼方法。
【請求項１５】
前記一次燃焼空気及び燃料は、保炎部(41)を介して前記一次燃焼室に供給され、該保炎部には、前記燃料の供給量の２〜８％のパイロット燃料が供給されることを特徴とする請求項１３又は１４に記載の燃焼方法。
【発明の詳細な説明】
【技術分野】
【０００１】
本発明は、交互燃焼式蓄熱型ラジアントチューブバーナ装置に関するものであり、より詳細には、バーナユニットと燃焼室との間に円形プレートを配置し、円形プレートの開口部を介して予熱後の二次燃焼空気を燃焼室に供給するように構成された交互燃焼式蓄熱型ラジアントチューブバーナ装置に関するものである。
【背景技術】
【０００２】
鉄鋼加熱炉又は熱処理炉等の加熱手段として、炉内雰囲気を間接加熱するラジアントチューブバーナ装置が実用に供されている。ラジアントチューブバーナ装置の一種として、ラジアントチューブの両端部にハニカム構造の蓄熱体を備えた交互燃焼式蓄熱型ラジアントチューブバーナ装置が知られている（特開平８−２４７４２１号公報、特開平１１−１０８３１５号公報、特開平１１−１０８３１６号公報、米国特許第６，０２７，３３３号公報）。
【０００３】
従来の交互燃焼式蓄熱型ラジアントチューブバーナ装置では、燃焼排ガスの窒素酸化物濃度を低減すべく、燃焼用空気の噴射速度が比較的高く設定される傾向がある。このため、バーナ装置の全圧損失が増大し、比較的大容量の送風機及び排風機の設置が不可欠となる事例が多い。本発明者は、このような事情を考慮し、特願２０００−２３７６７７号（特開２００２−４８３３４号公報）において、バーナユニットとラジアントチューブ内の主燃焼室との間に円形プレートを配置し、円形プレートを貫通する伝熱管を介して燃料及び一次燃焼空気を主燃焼室に供給するように構成した交互燃焼式蓄熱型ラジアントチューブバーナ装置を提案している。この構造のバーナ装置では、伝熱管の先端部は、円形プレートから主燃焼室内に突出して主燃焼室に開口する。伝熱管の管内領域は、一次燃焼空気及び燃料を混合する一次燃焼室を構成する。主燃焼室に開口した環状の空気希釈室が、伝熱管の先端部外周に形成され、蓄熱体と伝熱接触して加熱された高温の二次燃焼空気が、円形プレートの開口部から空気希釈室内に流入する。主燃焼室に向かって噴出する二次燃焼空気は、主燃焼室の燃焼ガスによって希釈される。このような構成の交互燃焼式蓄熱型ラジアントチューブバーナ装置によれば、燃焼排ガスの窒素酸化物濃度を増大することなく、二次燃焼空気の空気流速を２０〜５０ｍ／ｓ程度に低下し、これにより、ラジアントチューブバーナ装置の全圧損失を低下することができる。
【特許文献１】特開平８−２４７４２１号公報
【特許文献２】特開平１１−１０８３１５号公報
【特許文献３】特開平１１−１０８３１６号公報
【特許文献４】米国特許第６，０２７，３３３号公報
【特許文献５】特開２００２−４８３３４号公報
【発明の開示】
【発明が解決しようとする課題】
【０００４】
しかし、この構成のラジアントチューブバーナ装置の実用化試験において、ラジアントチューブバーナ装置の姿勢又は向きの設定に応じて燃焼排ガスの窒素酸化物濃度が増加する現象が生じた。このような窒素酸化物濃度の増加は、チューブ部分の熱変形によっても発生することが判明した。
ラジアントチューブバーナ装置の姿勢又は向きは、炉の使用目的及び構造、即ち、設置条件に応じて適宜設計変更される性質のものであり、また、チューブ部分の熱変形は、直径が大きい中型又は大型のラジアントチューブバーナ装置においては比較的大きく生じ易い。このため、このような原因で発生する燃焼排ガスの窒素酸化物濃度の増加は、確実に防止する必要がある。
本発明は、バーナユニットと主燃焼室との間に円形プレートを配置し、円形プレートの開口部を介して予熱後の二次燃焼空気を主燃焼室側に供給するように構成された交互燃焼式蓄熱型ラジアントチューブバーナ装置において、ラジアントチューブバーナ装置の設置条件又は熱変形の影響を受けずに、燃焼排ガスの窒素酸化物濃度の増加を確実に防止することを目的とする。
【課題を解決するための手段】
【０００５】
本発明者は、円形プレートの外縁部から主燃焼室の側に流出する二次燃焼空気流を完全に遮断することにより、燃焼排ガスの窒素酸化物濃度増加を防止できることを見出し、かかる知見に基づき、本発明の上記目的を達成したものである。
【０００６】
即ち、本発明は、主燃焼室(4) を形成するラジアントチューブ(14)と、該チューブの両端部に配置されたバーナユニット(15)とを備え、バーナユニットは、二次燃焼空気及び燃焼排ガスと交互に伝熱接触可能な蓄熱体(13)と、該蓄熱体を貫通する一次燃焼空気及び燃料の各流路(17,18) とを備えた交互燃焼式蓄熱型ラジアントチューブバーナ装置において、
前記バーナユニット(15)と前記主燃焼室(4) との間に配置された円形プレート(10)と、該円形プレートと前記蓄熱体との間に形成され且つ前記蓄熱体を通過した二次燃焼空気が流入する環状エアスロート部(2) と、前記円形プレートの外縁部から前記蓄熱体の外縁部に延びる円筒形外周カバー(30)と、前記円形プレートの前方に突出し且つ前記主燃焼室に開口する伝熱管(16) とを有し、
燃料噴射口(17a) 及び一次燃焼空気吐出口(18a,18b) が前記伝熱管内に開口し、該伝熱管の管内領域は、一次燃焼空気及び燃料を混合する一次燃焼室(1) を構成し、前記主燃焼室に開口した環状の空気希釈室(3) が、伝熱管先端部の外周に形成され、前記円形プレートは、前記エアスロート部及び空気希釈室を相互連通する開口部(12)を有し、
前記外周カバーの前端部は、前記エアスロート部の二次燃焼空気が前記円形プレートの外周から前記空気希釈室に漏出するのを防止するように前記円形プレートの外縁部と一体化することを特徴とする交互燃焼式蓄熱型ラジアントチューブバーナ装置を提供する。
【０００７】
本発明のラジアントチューブバーナ装置において、蓄熱体との伝熱接触により加熱された高温の二次燃焼空気は、エアスロート部に流入し、円形プレートの開口部から空気希釈室に噴出する。燃料は、一次燃焼室において一次燃焼空気と燃焼反応し、これにより生成した燃焼ガスによって希釈される。円形プレートの開口部から空気希釈室に噴出する高温の二次燃焼空気流は、燃焼室の燃焼ガスを誘引し、燃焼ガス再循環流が、空気希釈室内に逆流する。この再循環流は、伝熱管の先端部外周面に沿って開口部の近傍に廻り込み、二次燃焼空気流と混合し、二次燃焼空気を燃焼ガスにより希釈する。燃焼ガスと混合して酸素濃度ないし空気比を低下した二次燃焼空気流は、一次燃焼室から噴出する混合ガス流(F)（一次燃焼室内の燃焼ガスにより希釈された燃料）と混合し、混合ガス及び二次燃焼空気の燃焼反応が主燃焼室に生起し且つ進行する。
【０００８】
この種のラジアントチューブバーナ装置では、チューブ管壁の熱変形時に円形プレート及びラジアントチューブ管壁の熱応力を吸収すべく、円形プレート外縁部とラジアントチューブ管壁との間に所定のクリアランスが設定される。このクリアランスは、チューブ内への円形プレートの組込み作業を可能にする上でも、重要である。しかし、ラジアントチューブバーナ装置を実際に加熱炉等に取付けた場合、チューブは、通常は、その中心軸線を水平に向けた姿勢に配置され、円形プレートは、垂直に配置される。円形プレートは、重力により下側に偏心した位置に静止するので、円形プレートの上縁とチューブ内壁面との間のクリアランスは、拡大する。円形プレートの開口部が下側に位置する場合、円形プレートの上縁とチューブ内壁面との間に比較的大きな隙間又は間隙が形成される。また、ラジアントチューブ及び円形プレートは、燃焼停止時及び燃焼運転時の大きな温度差により比較的大きく熱膨張・収縮する。このような熱膨張・収縮に起因するラジアントチューブ及び円形プレートの熱変形は、殊に、直径が大きい中型又は大型のラジアントチューブバーナ装置において顕著に顕れる。このような熱変形も又、比較的大きな間隙又は隙間を円形プレートの外縁部に発生させる。本発明者の実用化試験の結果、このような隙間又は間隙を通じて二次燃焼空気流が比較的多量に主燃焼室に漏出し、この二次燃焼空気流が燃焼ガス再循環流の形成を妨げることが判明した。
【０００９】
本発明の上記構成によれば、エアスロート部は、円形プレートの外縁部から蓄熱体の外縁部に延びる外周カバー内に形成され、外周カバーの前端部は、円形プレートの外縁部に一体化し、円形プレートの外周部から二次燃焼空気が空気希釈室に漏出するのを阻止する。燃焼ガス再循環流は、妨げられず、十分な窒素酸化物濃度低減の効果が得られる。従って、本発明によれば、ラジアントチューブバーナ装置の設置条件又は熱変形の影響を受けずに、燃焼ガス再循環流を確実に形成することができ、所望の窒素酸化物濃度低減効果を常に達成することができる。
【００１０】
また、特願２０００−２３７６７７号に開示されたラジアントチューブバーナ装置では、円形プレート及び伝熱管は、バーナユニットによって片持状態に支持されるにすぎず、円形プレート及び伝熱管の位置及び姿勢は、熱変形により挙動し易い。しかしながら、本発明によれば、外周カバーが円形プレートを所定位置に支持するので、円形プレート及び伝熱管の位置及び姿勢は、安定する。
【００１１】
更に、外周カバーの設置により、意図せぬクリアランスの拡大が許容されるばかりでなく、意図的なクリアランスの拡大又は設定変更が可能となる。即ち、本発明の上記構成によれば、チューブ及びバーナユニットの組合せ又は相対位置の設計自由度が増すので、円形プレート外縁部とチューブ管壁との間のクリアランスの任意設定、バーナユニットの組込み作業又は交換作業を容易にする十分なクリアランスの確保、チューブ直径の実寸法又は規格の相違等に適応可能なバーナユニットの標準設計、或いは、異なるラジアントチューブに適応可能なバーナユニットの設計等が可能となる。このような場合であっても、外周カバーは、前述の如く、円形プレートの外周部から二次燃焼空気が空気希釈室に漏出するのを確実に防止するので、ラジアントバーナ装置は、所望の窒素酸化物濃度低減効果を発揮する。
好ましくは、外周カバーは、軸線方向の熱変形をラジアントチューブ及び蓄熱体に拘束されない状態でラジアントチューブ内に収容される。外周カバーの軸線方向の熱変形を解放したことにより、円形プレートと外周カバーとの接合部に熱応力が集中するのを防止することができる。即ち、円形プレート及び外周カバーの接合部には、熱応力集中による破損又は損傷が発生しない。
【００１２】
本発明は又、上記構成のラジアントチューブバーナ装置において、円形プレートの中心線(C) を中心とした所定半径Ｓの円(R) の径方向外側帯域に上記開口部(12)の中心（PC）を配置し、前記所定半径Ｓ＝（ラジアントチューブの内径寸法Ｄt＋伝熱管の外径寸法Ｄr）／４に設定したことを特徴とするラジアントチューブバーナ装置を提供する。好ましくは、複数の開口部(12)の各中心(PC)が、中心円(PCD)上に位置決めされ、中心円(PCD)は、ラジアントチューブの中心線(C)を中心とし且つ半径Ｓよりも大きな半径(PCR)を有する。更に好ましくは、円形プレートの開口部を配置すべき領域は、円形プレートの中心角 (γ) ≦２５０°の角度範囲内に制限される。
【００１３】
このような構成によれば、開口部(12)の中心(PC)は、円形プレートの径方向外側帯域に偏って配置され、燃焼ガス再循環流の流動領域が拡大するとともに、二次燃焼空気の噴流による燃焼ガス誘引作用が強化される。上述の如く、二次燃焼空気が円形プレートの外周部から空気希釈室に漏出するのを防止したことと相まって、主燃焼室の燃焼ガスは、円形プレートの開口部から噴出する二次燃焼空気流に効果的に誘引され、空気希釈室の二次燃焼空気を効率的に希釈する。
【００１４】
好ましくは、開口部(12)の空気流速は、３０ｍ／ｓ以下、好適には、２５ｍ／ｓ以下、更に好適には、２０ｍ／ｓ以下に設定される。空気流速の低速化により、ラジアントチューブバーナ装置の全圧損失は、低下する。このような空気流速の低速設定にもかかわらず、上記構成のラジアントチューブバーナ装置では、燃料改質(希釈)および燃焼ガス再循環により燃焼排ガスの窒素酸化物濃度を抑制することができる。
【００１５】
好適には、燃料噴射口(17a) 及び一次燃焼空気吐出口(18a,18b) は、円形プレートの平面内又は該平面の前方に配置され、伝熱管は、円形プレートから比較的大きく前方に突出する。このような構成によれば、比較的大きな燃焼ガス再循環領域を混合ガス流出口（伝熱管先端部）の背後に形成することができる。
【００１６】
更に好適には、燃料噴射口及び一次燃焼空気吐出口を囲む保炎管(41)が伝熱管内に配置され、パイロット燃料を噴射するパイロット燃料噴射口(40)が保炎管内に開口する。保炎管内には、一次燃焼室及び主燃焼室の火炎を安定させる保炎部(42)が形成される。
【００１７】
他の観点より、本発明は、主燃焼室(4) を形成するラジアントチューブ(14)と、該チューブの両端部に配置されたバーナユニット(15)とを有し、該バーナユニットは、二次燃焼空気及び燃焼排ガスと交互に伝熱接触可能な蓄熱体(13)と、該蓄熱体を貫通する一次燃焼空気及び燃料の各流路(17,18) とを備えた交互燃焼式蓄熱型ラジアントチューブバーナ装置において、
前記バーナユニット(15)と前記主燃焼室(4) との間に配置された円形プレート(10)と、該円形プレートと前記蓄熱体との間に形成され且つ前記蓄熱体を通過した二次燃焼空気が流入する環状エアスロート部(2) と、前記円形プレートの外縁部から前記蓄熱体の外縁部に延びる円筒形外周カバー(30)と、前記円形プレートの前方に突出し且つ前記主燃焼室に開口する伝熱管(16) とを有し、
燃料噴射口(17a) 及び一次燃焼空気吐出口(18a,18b) が前記伝熱管内に開口し、該伝熱管の管内領域は、一次燃焼空気及び燃料を混合する一次燃焼室(1) を構成し、前記主燃焼室に開口した環状の空気希釈室(3) が、伝熱管先端部の外周に形成され、前記円形プレートは、前記エアスロート部及び空気希釈室を相互連通する開口部(12)を有し、
前記蓄熱体と前記円形プレートとの間の距離(L4)は、ラジアントチューブの内径(Dt)に対する比率(L4／Dt)が１．０以下に設定されることを特徴とする交互燃焼式蓄熱型ラジアントチューブバーナ装置を提供する。
好適には、比率(L4／Dt)は、０．８以下、更に好適には、０．５以下に設定される。
【００１８】
好ましくは、外周カバーと前記蓄熱体とは、軸線方向に相対変位可能に連結され、円形プレートの開口部(12)の空気流速は、３０ｍ／ｓ以下に設定され、開口部の排ガス流速は、３５ｍ／ｓ以下に設定される。
【００１９】
外周カバーの厚さ(T)は、好ましくは、８mm以下、更に好ましくは、６mm以下に設定され、外周カバーは、非鋳造品、例えば、耐熱性を有する金属合金板の曲げ加工品からなる。
【００２０】
更に他の観点より、本発明は、二次燃焼空気及び燃焼排ガスと交互に伝熱接触可能な蓄熱体(13)と、ラジアントチューブ(14)内の主燃焼室(4)との間に円形プレート(10)を配置し、円形プレートを貫通する伝熱管(11、16)を介して燃料及び一次燃焼空気を主燃焼室に供給するとともに、主燃焼室に開口した環状の空気希釈室(3)を伝熱管の先端部外周に形成し、蓄熱体と伝熱接触して加熱された高温の二次燃焼空気(A)を空気希釈室内に流入させ、二次燃焼空気の噴射流により主燃焼室の燃焼ガスを誘引しながら前記燃料及び一次燃焼空気と前記二次燃焼空気とを主燃焼室で混合する交互燃焼式蓄熱型ラジアントチューブバーナ装置内の燃焼方法において、
前記円形プレートの両側の領域は、円形プレートの外縁部における流体連通を遮断され、これらの領域の流体連通は、前記円形プレートの中心角 (γ) ≦２５０°の角度範囲内に配置した開口部(12)のみに限定され、該開口部の中心（PC）は、円形プレートの中心線(C) を中心とした所定半径Ｓの円（Ｒ）の径方向外側帯域に配置され、所定半径Ｓは、（ラジアントチューブの内径寸法Ｄt＋伝熱管の外径寸法Ｄr）／４に設定され、
前記開口部(12)は、３０ｍ／ｓ以下の流速で前記二次燃焼空気を前記空気希釈室に噴射するとともに、３５ｍ／ｓ以下の流速で前記主燃焼室の燃焼排ガスの噴流を前記蓄熱体に向かって差し向けることを特徴とする燃焼方法を提供する。
【００２１】
このような燃焼方法によれば、円形プレートの外縁部の流体連通が遮断され、開口部が配置されていない角度範囲(θ)内には、主燃焼室内の燃焼ガスを空気希釈室内に誘引する流路(領域)が常に確保される。開口部は、円形プレートの径方向外側に配置されるので、二次燃焼空気流と伝熱管の外周面との間には、燃焼ガス再循環流を主燃焼室側に向かって誘引する領域が形成される。このため、二次燃焼空気の流速を低下した状態であっても、燃焼ガスにより希釈された燃焼用空気を確実に燃料噴流の背後から燃料（一次燃焼の燃焼ガスにより希釈した燃料）に混合し、燃焼排ガスの窒素酸化物濃度を確実に低下することができる。
【００２２】
好ましくは、一次燃焼空気の供給量は、燃料の完全燃焼に要する理論空気量の１０〜２０％に設定される。更に好ましくは、一次燃焼空気及び燃料は、保炎部(41)を介して一次燃焼室に供給され、保炎部には、燃料の供給量の２〜８％のパイロット燃料が供給される。
【発明の効果】
【００２３】
本発明によれば、バーナユニットと主燃焼室との間に円形プレートを配置し、円形プレートの開口部を介して予熱後の二次燃焼空気を主燃焼室側に供給するように構成された交互燃焼式蓄熱型ラジアントチューブバーナ装置において、ラジアントチューブバーナ装置の設置条件又は熱変形の影響を受けずに、燃焼排ガスの窒素酸化物濃度の増加を確実に防止することができる。
【発明を実施するための最良の形態】
【００２４】
以下、添付図面を参照して、本発明の好適な実施形態について詳細に説明する。
バーナ装置の構造
【００２５】
図１に示す如く、交互燃焼式蓄熱型ラジアントチューブバーナ装置（以下、「バーナ装置」という。）は、主燃焼室４を形成するラジアントチューブ１４を備える。チューブ１４の両端部には、バーナユニット１５が配置される。４方弁１９が、各バーナユニット１５を選択的に給気系又は排気系に接続するように各バーナユニット１５に連結される。各バーナユニット１５は、ハニカム構造のセラミック製蓄熱体１３を備える。バーナユニット１５の燃料供給路１７及び一次空気流路１８が、蓄熱体１３を貫通する。対をなすバーナユニット１５は、所定の時間間隔毎に図１（Ａ）及び図１（Ｂ）に示す作動形態に交互に切換えられ、交互に燃焼作動する。４方弁１９は、バーナユニット１５の作動切換と同時に切換制御され、バーナユニット１５と同様、図１（Ａ）及び図１（Ｂ）に示す各位置に交互に切換えられる。
【００２６】
図２〜図４には、図１に示すバーナユニットの構造が示されている。
【００２７】
バーナ装置の両端部は、炉壁Ｗを貫通し、バーナユニット１５のエアケース２０及びバーナガン２１が炉外に露出する。エアケース２０及びバーナガン２１には、一次空気供給管２２、二次空気供給管２３及び燃料供給管２４が夫々接続される。燃料供給路１７及び一次空気流路１８は、蓄熱体１３の中心部を貫通し、蓄熱体１３の先端面から前方に突出する。燃料噴射ノズル１７ａ及び一次空気吐出口１８ａ、１８ｂは、一次燃焼室１に開口する。
【００２８】
ガイドパイプ２５が蓄熱体１３及び金属製金網１３ａの中心部を貫通し、基端側伝熱管１１に連接する。一次空気流路１８を形成する一次空気給送管２６がガイドパイプ２５及び基端側伝熱管１１内に配置される。図３（Ａ）に示すように、燃料供給路１７を形成する燃料給送管２７が一次空気供給管２６の中心部に配置されるとともに、パイロット燃料を供給するパイロット燃料管２８が、燃料給送管２７と平行に一次空気供給管２６内に配置される。
【００２９】
図４に示す如く、一次空気供給管２６の先端は、供給管２６の軸線と直交する先端プレート２９によって閉塞している。先端プレート２９には、燃料給送管２７の燃料噴射ノズル１７ａが配置される。一次空気吐出口１８ａ、１８ｂが先端プレート２９に形成されるとともに、パイロット燃料噴射部４０が先端プレート２９を貫通する。
【００３０】
図３（Ｂ）に示すように、燃料噴射ノズル１７ａは、先端プレート２９の中心部に配置され、一次空気吐出口１８ａ、１８ｂは、燃料噴射ノズル１７ａ廻りに同心状且つ等間隔に配置される。外側に円形配列した各吐出口１８ａの開口直径は、内側に円形配列した各吐出口１８ｂの開口直径よりも大きく、吐出口１８ａは、吐出口１８ｂよりも相対的に多量の一次燃焼空気を噴出する。パイロット燃料噴射部４０は、内側吐出口１８ｂの円形配列に整列した位置に配置され、燃料噴射部４０の燃料は、主として、吐出口１８ｂの空気噴流と燃焼反応する。
【００３１】
図４に示すように、円形プレート１０が蓄熱体１３の前方に配置される。基端側伝熱管１１は、円形プレート１０の中心部を貫通する。円形プレート１０及び基端側伝熱管１１は、溶接等の固着手段（図示せず）により一体的に組付けられる。円形プレート１０及び基端側伝熱管１１を単一の金属成形品として一体成形しても良い。
【００３２】
基端側伝熱管１１の外周には、環状のエアスロート部２が形成される。エアスロート部２は、蓄熱体１３の各セル孔（ハニカム流路）と連通する。基端側伝熱管１１は、円形プレート１０の前方に僅かに延出する。保炎管４１が、一次空気供給管２６の先端外周領域から前方に突出し、燃料噴射ノズル１７ａの噴射口近傍に保炎部４２を形成する。
【００３３】
先端側伝熱管１６が、基端側伝熱管１１の先端部外周から前方に延びる。先端側伝熱管１６の内径は、基端側伝熱管１１の外径と一致する。先端側伝熱管１６の後端部は、溶接等の固着手段（図示せず）により基端側伝熱管１１の前端部外周に気密且つ一体的に組付けられる。なお、基端側及び先端側伝熱管１１、１６を単一の金属成形品として一体成形しても良い。
【００３４】
先端側伝熱管１６は、一次燃焼室１を管内に形成し、燃料噴射ノズル１７ａの燃料は、一次空気吐出口１８ａ、１８ｂの一次空気と一次燃焼室１で混合する。燃料及び一次空気の混合ガス流Ｆは、先端側伝熱管１６の先端開口から主燃焼室４に流出する。
【００３５】
先端側伝熱管１６の外周には、環状の空気希釈室３が形成される。円形プレート１０は、空気希釈室３に開口する複数（本例では３箇所）の開口部１２を備える。エアスロート部２に供給された二次燃焼空気は、各開口部１２から空気希釈室に噴出する。開口部１２の空気流速は、好ましくは、２０〜３０ｍ／ｓの範囲に設定される。
【００３６】
図３（Ｂ）に示す如く、各開口部１２は、周方向に延びる湾曲した長孔の形態を有し、等角度間隔且つ左右対称に円形プレート１０に配置される。本例では、円形プレート１０、先端側伝熱管１６及び先端プレート２９の輪郭は、ラジアントチューブ１４の中心線Ｃを中心とした同心円に形成される。各開口部１２の外側開口縁１２ａ及び内側開口縁１２ｂは、中心線Ｃを中心とした所定の曲率半径で湾曲する。各開口部１２の中心ＰＣは、中心円ＰＣＤ上に位置する。中心円ＰＣＤの半径ＰＣＲは、開口縁１２ａ、１２ｂの各曲率半径の平均値に相当する。
【００３７】
開口部１２は、円形プレート１０の中心角γの角度範囲内に偏在しており、円形プレート１０は、中心角θの角度範囲においては、開口部を全く備えていない盲板として機能する。各開口部１２の中心ＰＣは、中心線Ｃを中心とした円Ｒ（半径Ｓ）の径方向外方に配置される。
【００３８】
円Ｒの半径Ｓおよび中心円ＰＣＤの半径ＰＣＲは、以下のとおり設定される。
ＰＣＲ＞Ｓ＝（Ｄｒ＋Ｄｔ）／４
ここに、
Ｄｔ：ラジアントチューブ１４の内径寸法(直径)
Ｄｒ：伝熱管１６の外径寸法(直径)  
【００３９】
開口部１２を配置すべき領域は、中心角γ≦２５０°の角度範囲内に制限される。
【００４０】
なお、開口部１２の形状を円形等の他の形状、或いは、不定形ないし不規則な輪郭に設計する場合、開口部１２の中心ＰＣは、例えば、開口輪郭の質量中心（重心）として求められる。また、円形プレート１０の開口率（開口部１２の面積合計／空気希釈室３の断面積）は、２０〜５０％の範囲に設定される。開口部１２の位置は、図４に示すように、構造強度上必要な縁部寸法Ｅ（例えば、Ｅ≧５mm）を確保することを条件として、可能な限り円形プレート１０の径方向外側に配置することが望ましい。
【００４１】
円形プレート１０の直径（外径）は、チューブ１４の内径Ｄｔよりも２〜３mm程度小さい値に設定され、これにより、バーナ装置の組付け時に円形プレート１０をチューブ１４内に挿入可能にする平均１〜１．５mm程度のクリアランスが、円形プレート廻りに確保される。
【００４２】
図５（Ａ）は、円形プレート１０とクリアランスとの関係を示す断面図である。
【００４３】
円形プレート廻りクリアランスにより、隙間寸法Ｇｔの隙間Ｇが、円形プレート１０の外周面とチューブ１４の内周面との間に形成される。以下、隙間Ｇの影響について説明する。
隙間の影響
【００４４】
図５（Ｂ）は、隙間Ｇ及び開口部１２の流量比を考察するための検討モデルを示す断面図である。
【００４５】
図５（Ｂ）には、空気流Ａの方向と直交するように空気流路に配置されたプレート１００が示されている。プレート１００は、直径Ｄmの主開口部１０１と、直径Ｄgの副開口部１０２とを備える。開口部１０１、１０２は、プレート１００を貫通する真円形開口である。主開口部１０１は、上記開口部１２に相当し、副開口部１０２は、隙間Ｇに相当すると仮定する。流体（空気）は、非圧縮流体であるとみなし、流体の圧力損失については、流路壁の摩擦抵抗のみを考慮する。解析条件として、副開口部１０２の直径Ｄg＝2mm、プレート１００の厚さｔ＝10mmと仮定する。
【００４６】
解析手法の詳細については、説明を省略するが、主開口部１０１から流出する空気流Ａ１の流量を一定量に維持した状態で空気流Ａ１の流速Ｕmを５０m/sから２０m/sに低下させるため、直径Ｄmを２３mm（Ｕm＝５０m/s）から３６mm（Ｕm＝２０m/s）に変更すると、副開口部１０２を通る空気流Ａ２の流速Ｕgは、Ｕg=４１．８m/s（Ｕm＝５０m/s）からＵg=１２．８m/s（Ｕm＝２０m/s）に変化する。即ち、主開口部１０１の空気流速Ｕmが低下すると、副開口部１０２の空気流速Ｕgは、主開口部１０１の流速低下率よりも相対的に大きく低下する。
【００４７】
図６（Ａ）は、隙間Ｇの漏れ量と隙間寸法Ｇｔとの関係を示す線図であり、図６（Ｂ）は、燃焼排ガスのNOx濃度と隙間寸法Ｇｔとの関係を示す線図である。なお、図６に示す漏れ量及びNOx濃度は、バーナ装置の開口部１２の流速を２０m/sに設定した呼び径７Ｂ（チューブ直径＝７インチ）のバーナ装置に関するものである。
【００４８】
図６（Ａ）では、隙間寸法Ｇｔ＝１mmの隙間Ｇの空気漏れ量が基準流量(＝1)に設定されており、隙間寸法Ｇｔの拡大による空気漏れ量の増加は、基準流量に対する比率(流量比)として示されている。
【００４９】
図６（Ａ）に示す如く、隙間Ｇの空気漏れ量は、隙間寸法Ｇｔの拡大につれて、隙間寸法Ｇｔと概ね比例するように増加する。同様に、燃焼排ガスのNOx濃度は、隙間寸法Ｇｔ＝1.5mm以下の範囲内では、隙間寸法Ｇｔの拡大につれて、比較的緩やかにNOx濃度＝115ppm（11%O2換算値）に増加する（図６（Ｂ））。しかしながら、燃焼排ガスのNOx濃度は、隙間寸法Ｇｔが1.5mmを超えると、急激に増加し、隙間寸法＝3.0mmにおいては約190ppmに達する。
【００５０】
即ち、隙間Ｇの空気流速（Ｕg）は、開口部１２の空気流速（Ｕm）の流速低下により、相対的に大きく低下するにもかかわらず、隙間寸法Ｇｔの拡大は、燃焼排ガスのNOx濃度を比較的急激に増大させる。このようなNOx濃度の変化は、NOx濃度の低減効果を空気希釈室３の気流分布に依存する本発明のバーナ装置に観られる特有の性質である。これは、NOx濃度の低減効果が高速空気流の流速（Ｕm）に支配される従来のバーナ装置の特性とは、明らかに相違する。
【００５１】
図７には、隙間Ｇの位置又は角度範囲と、燃焼排ガスのNOx濃度との関係が示されている。
【００５２】
隙間寸法Ｇｔ＝３mmに設定した呼び径７Ｂ（チューブ直径＝７インチ）のバーナ装置において、円形プレート１０の全周に隙間Ｇが形成された場合、NOx濃度は、150〜200ppm（11%O2換算値）に達する。NOx濃度は、角度範囲α＝90°の範囲で隙間Ｇを閉鎖すると、140〜180ppmに低下し、角度範囲α＝180°の範囲で隙間Ｇを閉鎖すると、130〜150ppmに更に低下する。NOx濃度は、全周に亘って隙間を閉鎖した場合(α＝360°)、115〜120ppmまで低下し、最小値を示す。同時に、NOx濃度の偏差も又、角度範囲αが増大するにつれて縮小し、全周に亘って隙間を閉鎖した場合(α＝360°)、115〜120ppmの範囲内においてNOx濃度が安定する。
円形プレート及び蓄熱体の位置関係
【００５３】
前述の如く、バーナユニット１５は、所定の時間間隔毎に図１（Ａ）及び図１（Ｂ）に示す作動形態に交互に切換えられる。従って、開口部１２は、エアスロート部２の二次燃焼空気を空気希釈室に噴射するだけではなく、主燃焼室４の燃焼排ガスを排気する排気口としても使用される。このため、エアスロート部２の長さ、即ち、円形プレート１０と蓄熱体１３との間の距離Ｌ４（図４）は、開口部１２からエアスロート部２に流入する燃焼排ガスＧが蓄熱体１３の端面全域に拡がって燃焼排ガスが蓄熱体１３の各セルに実質的に均等に流入するように設定される。
【００５４】
図８（Ａ）は、円形プレート１０と蓄熱体１３との位置関係を概念的に示す斜視図であり、図８（Ｂ）は、円形プレート１０からの距離Ｌと、燃焼排ガスの噴流断面積Ｇａとの関係を示す線図である。なお、説明を簡略化するため、以下の考察においては、開口部１２は、円形プレート１０の中央円形開口１１２であると仮定して検討する。
【００５５】
開口部１１２の空気流速を２６ｍ／ｓに設定するため、開口部１１２の直径Ｄmを７９mmに設定し、また、開口部１１２の空気流速を７０ｍ／ｓに設定するため、開口部１１２の直径Ｄmを４８mmに設定する。いずれの場合においても、開口部１１２からエアスロート部２に流入する燃焼排ガスＧの噴流は、蓄熱体１３の流入側端面に向かって拡がる。図８（Ｂ）には、Ｄm＝７９mm（２６ｍ／ｓ）、４８mm（７０ｍ／ｓ）における燃焼排ガスの噴流断面積Ｇａが、Ｌ／Ｄｎ（Ｌ＝円形プレート１０から噴流断面までの距離、Ｄｎ＝蓄熱体１３の直径）との関係で夫々示されている。
【００５６】
蓄熱体１３の直径ＤｎをＤｎ＝１４４mmに設定し、伝熱管１６の直径を９０mmと仮定すると、蓄熱体１３のセル部分の全断面積は、（１４．４／２）2×３．１４−（９／２）2×３．１４＝約９９．２cm2となる。燃焼排ガスの噴流は、必然的に伝熱管１６の輪郭を避けて蓄熱体１３のセル部分に流入すると考えられることから、この断面積（約９９．２cm2）に拡がった噴流は、蓄熱体１３のセル部分全域に均等に流入すると見做すことができる。
【００５７】
噴流断面積Ｇａ＝９９．２cm2が得られるＬ／Ｄnの値は、Ｄm＝７９mm（２６ｍ／ｓ）では、０．４２であるのに対し、Ｄm＝４８mm（７０ｍ／ｓ）では、１．０５である。従って、空気流速を７９ｍ／ｓから２６ｍ／ｓに低下すると、円形プレート１０から蓄熱体１３の流入側端面までの距離Ｌｍは、０．４２／１．０５（＝０．４）に低減することができる。
【００５８】
図１〜図４に示すバーナ装置では、開口部１２の位置は、偏心した異形開口であるので、図８（Ａ）に示す検討モデルとは若干相違するが、その傾向自体は、実質的に同じである。従って、開口部１２の開口面積の拡大（即ち、開口部１２の空気流速の低下）は、蓄熱体１３と円形プレート１０との間の距離Ｌ４（図４）の大幅な短縮を可能にする。
円筒形外周カバー
【００５９】
「隙間の影響」において説明したとおり、開口部１２の空気流速を２０〜３０ｍ／ｓに低下すると、隙間Ｇ（図５（Ａ））の空気流速は、比較的大きく低下するが、隙間寸法Ｇｔ（図５（Ａ））は、燃焼排ガスのNOx濃度に大きく影響するので、隙間Ｇを完全に閉鎖することが望ましい。また、「円形プレートと蓄熱体との位置関係」において説明したとおり、開口部１２の空気流速の低下（開口部１２の開口面積の拡大）は、蓄熱体１３と円形プレート１０との間の距離Ｌ４（図４）の短縮を可能にする。
【００６０】
このため、本発明のバーナ装置は、図４に示す如く、蓄熱体１３及び円形プレート１０に跨がる円筒形外周カバー３０を備える。外周カバー３０は、エアスロート部２及び空気希釈室３の流体連通を円形プレート１０の全周に亘って遮断し、空気希釈室３の気流分布の外乱要因となる隙間Ｇの空気漏出を防止する。従って、バーナ装置は、そのNOx濃度低減効果を確実に達成することができる。
【００６１】
図４に示すとおり、外周カバー３０は、円形プレート１０の外縁部から後方に延びる。外周カバー３０は、円形プレート１０の直径と実質的に同一、或いは、円形プレート１０の直径よりも僅かに小さい外径を有する。円形プレート１０及び伝熱管１６は、高い耐熱強度を要することから高強度の金属鋳造品等で作られるのに対し、外周カバー３０は、円形断面の非鋳造品、例えば、ＳＵＳ３１０Ｓ（ＪＩＳ）製の板材を半円形に曲げ加工し、２体の半円板を相互溶接してなる管体として製作することができる。外周カバー３０の前端部は、溶接等の固着手段３１により、円形プレート１０の外縁部に対して気密状態に固定される。
【００６２】
外周カバー３０は、円形プレート１０の外縁部におけるエアスロート部２及び空気希釈室３の流体連通を完全に遮断し、従って、これらの領域２、３の流体連通は、開口部１２のみに制限される。外周カバー３０は又、円形プレート１０を所定位置に支持し、円形プレート１０及び伝熱管１１の位置及び姿勢は、安定する。
【００６３】
外周カバー３０の後端部は、蓄熱体１３の外筒ケーシング１３ｂに達する。外周カバー３０の後端部内面は、外筒ケーシング１３ｂの前端部外周面に摺接し、外筒ケーシング１３ｂと一体化せず、相対変位可能な状態で外筒ケーシング１３ｂに連結される。外筒ケーシング１３ｂの外周には、外周カバー３０から若干後方に離間した位置において、環状スペーサ１３ｃが一体的に取付けられる。
【００６４】
外周カバー３０の全長Ｌ３は、距離Ｌ４の短縮により、比較的短く、従って、外周カバー３０には、過大な熱応力又は熱変形が発生せず、熱負荷による外周カバー３０の熱応力クラック等も、生じ難い。また、外周カバー３０の厚さＴは、熱応力の低下により、８mm以下、例えば、５〜６mm程度に設定することができる。従って、外周カバー３０を設けた場合であっても、エアスロート部２の容積を十分に確保でき、しかも、開口部１２の配置の自由度を確保できる。
【００６５】
また、外周カバー３０の軸線方向の熱変形は、ラジアントチューブ１４及び外筒ケーシング１３ｂに拘束されず、従って、外周カバー３０の軸線方向の熱変形は、許容される。このため、円形プレート１０と外周カバー３との接合部（固着手段３１）に熱応力が集中せず、熱応力集中又は熱変形による接合部の破損又は損傷等は、発生しない。
【００６６】
伝熱管及び開口部の寸法
伝熱管１６の各部寸法は、以下の範囲内の値に設定される。
【００６７】
Ｄｒ／Ｄｔ＝０．２〜０．６
Ｌ１／Ｄｒ＝１．２８〜５．２
Ｌ２／Ｄｒ＝０．６４〜５．２
【００６８】
なお、上式における各符号の意味は、次のとおりである。
Ｌ１：燃料噴射ノズル１７ａの先端から伝熱管１６の先端までの距離
Ｌ２：円形プレート１０から伝熱管１６の先端までの距離
【００６９】
例えば、呼び径７Ｂ（チューブ直径＝７インチ）のバーナ装置においては、各部寸法Ｄｔ、Ｄｒ、Ｌ１、Ｌ２は、以下の寸法値に設定される。
Ｄｔ＝約１８０mm（７Ｂ）
Ｄｒ＝約９０mm（３Ｂ）
Ｌ１＝約２００mm
Ｌ２＝約２００mm
【００７０】
各開口部１２は、同一の寸法・形状を有し、全開口部１２の開口縁周長の総和Ｌ５は、Ｌ５／Ｄｔ＝２．０〜４．０、好適には、２．５〜３．５の範囲に設定される。例えば、各開口部１２の開口縁周長の合計値Ｌ３は、呼び径７Ｂ（チューブ直径＝７インチ）のバーナ装置において、約３５０mm〜７００mmの範囲、好適には、約４５０mm〜６００mmの範囲に設定される。
【００７１】
また、伝熱管１６は、二次燃焼空気流Ａと混合ガス流Ｆとが混合するまで二次燃焼空気及び燃料を物理的に分離する。伝熱管１６の突出寸法Ｌ２は、二次燃焼空気が空気希釈室２で希釈され且つ燃料が一次燃焼室１内で希釈される時間を確保するように設定される。
バーナ装置の作動
【００７２】
次に、上記構成のバーナ装置の作動について説明する。
【００７３】
バーナ装置の各バーナユニット１５は、バーナガン２１に対する一次空気供給及び燃料供給の切換制御と、これに同調した４方弁１９の切換制御に相応して、図１（Ａ）及び図１（Ｂ）に示す如く、燃焼作動（燃焼空気・燃料の供給）及び燃焼停止（燃焼排ガスの排気）を交互に実行する。
【００７４】
一次燃焼空気及び燃料は、一次空気供給管２２及び燃料供給管２４から燃焼作動中のバーナガン２１（図２）に供給され、燃料噴射ノズル１７ａ及び一次空気吐出口１８ａ、１８ｂ（図３、図４）から一次燃焼室１に流出し、一次燃焼室１において混合する。一次燃焼空気の供給量は、燃料の完全燃焼に要する理論空気量の１０〜２０％程度に設定される。
【００７５】
燃焼作動中は、パイロット燃料管２８のパイロット燃料が、パイロット燃料噴射部４０から保炎管４１内に常時噴射する。パイロット燃料の燃料供給量は、燃料噴射ノズル１７ａの燃料供給量の約２〜８％程度に設定される。保炎管４１内の保炎部４２は、失火を防止する保炎機能を維持し、一次燃焼室１及び主燃焼室４の燃焼反応は、安定する。
【００７６】
一次燃焼空気の流量よりも遙に多量の二次燃焼空気が、図２に示す如く、二次空気供給管２３からエアケース２０に供給され、高温の蓄熱体１３の狭小流路（セル孔）に流入する。二次燃焼空気は、蓄熱体１３のハニカム壁（セル壁）との伝熱接触により７００℃以上、好適には９００℃以上の高温に加熱された後、エアスロート部２に流入する。
【００７７】
図９及び図１０には、円形プレート１０の開口部１２から空気希釈室３に流出する二次燃焼空気流の流れが示されている。図１１及び図１２には、外周カバー３０を備えない状態のバーナ装置において空気希釈室３に流入する二次燃焼空気流Ａの流れが示されている。なお、図９〜図１２に示すバーナ装置は、開口部１２が下側に位置するように加熱炉等に配置され、円形プレート１０は、重力により下側に偏心している。このため、円形プレート１０の上部外周縁とラジアントチューブ４の内周壁面との間には、比較的大きな間隙Ｇが形成される。
【００７８】
外周カバー３０を備えたバーナ装置（図９、１０）においては、エアスロート部２内に流入した二次燃焼空気流Ａは、円形プレート１０の片側に偏在した開口部１２から空気希釈室３に流出する。開口部１２における空気流Ａの流速は、例えば、３０ｍ／ｓ以下、好ましくは、２５ｍ／ｓ以下、更に好ましくは、２０ｍ／ｓ以下の範囲に設定され、かなり低速である。外周カバー３０は、円形プレート１０の外縁部におけるエアスロート部２及び空気希釈室３の流体連通を遮断し、従って、これらの領域２、３の流体連通は、開口部１２のみに限定される。上記特定位置及び特定寸法・形状に設定した開口部１２から流出する空気流Ａは、主燃焼室４の燃焼ガスを誘引し、この結果、空気希釈室３内に逆流する燃焼ガス再循環流Ｒが形成される。
【００７９】
外周カバー３０を備えたバーナ装置では、再循環流Ｒを空気希釈室３内に誘引する流路（領域）が、開口部１２が配置されていない角度範囲（θ）内に常に確保される。しかも、開口部１２は、円形プレート１０の径方向外側帯域に配置されるので、二次燃焼空気流Ａと伝熱管１１の外周面との間には、再循環流Ｒを誘引して再循環流Ｒを主燃焼室４側に流動させる領域が形成される。このため、上記の如く限られたラジアントチューブ内領域において燃焼ガス再循環効果を強化することができ、二次燃焼空気流Ａの流速を低下した状態であっても、二次燃焼空気を比較的多量の燃焼ガスで希釈することができる。
【００８０】
これに対し、外周カバー３０を備えない状態（図１１、１２）では、エアスロート部２の二次燃焼空気は、開口部１２から空気希釈室３に流出するとともに、外縁空気流Ｊとして円形プレート１０の外縁部（間隙Ｇ）からも空気希釈室３に流出する。外縁空気流Ｊは、再循環流Ｒと対向し、空気希釈室３内への再循環流Ｒの流入を阻害する。このため、二次燃焼空気と混合する燃焼ガス量は、低下する。
【００８１】
かくして、外周カバー３０を備えたバーナ装置（図９、１０）によれば、再循環流Ｒは、外縁空気流Ｊに阻止されることなく、空気希釈室３内に流入し、先端側伝熱管１６の外周面に沿って開口部１２の近傍に廻り込み、空気流Ａと良好に混合し、二次燃焼空気を比較的多量の燃焼ガスにより希釈することができる。
【００８２】
伝熱管１６内の一次燃焼室１に流入した燃料は、一次燃焼空気と混合し、低空気比の燃焼反応により燃焼室１内で部分燃焼し、燃焼室１内で生成した燃焼ガスにより希釈される。燃焼室１内の雰囲気は、周囲の高温雰囲気により常に高温状態を維持するので、燃料、一次燃焼空気及び燃焼ガスの混合気は、低酸素濃度又は低空気比の一次燃焼室１内で改質作用を受け、活性化し、混合ガス流Ｆとして一次燃焼室１から主燃焼室４に流出する。なお、伝熱管１１の外周面は、後述する如く、燃焼停止時においても、高温の燃焼排ガスと接触するので、伝熱管１１は、常に高温状態を維持する。
【００８３】
再循環流Ｒとの混合により酸素濃度が低下した空気流Ａは、先端側伝熱管１６の先端開口から吐出する混合ガス流Ｆと混合し、両者の燃焼反応が主燃焼室４に生起し且つ進行する。
【００８４】
このようなバーナ装置によれば、比較的低速の二次燃焼空気流Ａを主燃焼室４に導入するにもかかわらず、主燃焼室４の燃焼反応は、多量の窒素酸化物を生成しない。例えば、本発明者の測定によれば、開口部１２における空気流Ａの流速を２０ｍ／ｓ以下に設定した場合であっても、燃焼排ガス中の窒素酸化物濃度は、バーナ装置の設置条件又は熱変形にかかわらず、１３０ppm 以下の低濃度を示した。これは、主として、円形プレート１０の特定領域に上記特定寸法・形状の開口部１２を形成したこと、そして、高温の伝熱管１１内を流動する間に燃料の燃焼特性が変化したこと、更には、外周カバー３０の設置により、低速空気流Ａによる比較的強力な燃焼ガス再循環を可能にしたこと等に起因すると考えられる。しかも、上記の如く一次燃焼室１において希釈された燃料は、高温且つ低酸素濃度の低速空気流Ａと緩慢に燃焼反応し、ラジアントチューブ１４の比較的広範な領域に均一な温度分布を生じさせる。
また、本発明のバーナ装置では、円形プレート前後の領域２、３の流体連通は、外周カバー３０の設置により、開口部１２のみに制限されるので、円形プレート１０の外周面とラジアントチューブ１４の内周面との間の距離は、所望により、任意設定することができる。このため、バーナユニット１５の組込み作業又は交換作業を容易にする十分なクリアランスを確保することができるばかりでなく、その応用として、チューブ直径Ｄｔの実寸法又は規格の相違等に適応可能なバーナユニット１５の標準設計や、異なる寸法のラジアントチューブ１４に適応可能なバーナユニット１５の設計等が可能となる。このような場合であっても、外周カバー３０は、前述の如く、円形プレート１０の外周部から二次燃焼空気が空気希釈室３に漏出するのを確実に阻止するので、バーナ装置は、所望の窒素酸化物濃度低減効果を発揮する。
【００８５】
図１に示す如く、主燃焼室４の燃焼ガスは、上記再循環流の逆流を除き、燃焼停止中のバーナユニット２１に向かってラジアントチューブ１４内を流動する。燃焼停止中のバーナユニット２１は、燃焼排ガスを円形プレート１０の開口部１２からエアスロート部２内に受入れる。エアスロート部２の燃焼ガスは、伝熱管１１、１６の外周域を流動した後、蓄熱体１３のハニカム流路（セル孔）に流入して蓄熱体１３のハニカム壁（セル壁）と伝熱接触し、これにより、比較的低温の蓄熱体１３を燃焼排ガスと同等の温度に加熱する。蓄熱体１３との熱交換により降温した燃焼排ガスは、４方弁１９を介して系外に排気される。
【００８６】
燃焼作動側のバーナユニット２１における開口部１２の空気流速を低速に設定したことから、排気側の開口部１２を通過する燃焼排ガスの流速も又、低速である。例えば、開口部１２の空気流速を２０ｍ／ｓ以下に設定した場合、排ガスの容積増加を考慮したとしても、排気側の開口部１２を通過する燃焼排ガスの流速は、約２５ｍ／ｓ以下に抑制される。このため、バーナユニット２１における圧力損失は、燃焼側及び排気側の双方において低下する。しかも、エアスロート部２に流入する排ガス流は、距離Ｌ４の短縮にもかかわらず、蓄熱体１３の各セル孔に比較的均等に流入する。即ち、比較的低速の排ガス流は、開口部１２と対向する蓄熱体１３の部分に集中的に流入することなく、蓄熱体１３の端面全域に均等に分散するので、各ハニカム流路の排ガス流量は蓄熱体全域に亘って平準化し、蓄熱体１３は均等に加熱される。従って、排気側の蓄熱体１３には、局所的な温度低下又は過熱が生じ難く、蓄熱体１３は、所望の蓄熱効率又は熱交換効率を発揮する。なお、厳密には、燃焼排ガスの流量は、一次燃焼空気及び燃料の供給や、燃焼反応、更には、熱膨張等の影響により、一次空気流量よりも若干増量するが、これに伴う燃焼排ガス流速の増大は、上記の如く、比較的軽微であると考えられる。
【００８７】
以上、本発明の好適な実施形態について詳細に説明したが、本発明は上記実施形態に限定されるものではなく、特許請求の範囲に記載された本発明の範囲内で種々の変形又は変更が可能であり、該変形例又は変更例も又、本発明の範囲内に含まれるものであることは、いうまでもない。
【００８８】
例えば、上記実施例では、３つの開口部１２を対称に円形プレート１０に穿設したが、本発明に従って、更に多数又は少数の開口部を円形プレート１０に非対称に形成しても良い。
【００８９】
また、伝熱管１１の寸法及び形状は、上記実施形態に限定されるものではなく、本発明の示唆に従って適当に設計変更し得るものである。
【産業上の利用可能性】
【００９０】
本発明は、バーナユニットと主燃焼室との間に円形プレートを配置し、円形プレートの開口部を介して予熱後の二次燃焼空気を主燃焼室側に供給するように構成された交互燃焼式蓄熱型ラジアントチューブバーナ装置に適用される。本発明によれば、ラジアントチューブバーナ装置の設置条件又は熱変形の影響を受けずに、燃焼排ガスの窒素酸化物濃度の増加を確実に防止することができる。
【図面の簡単な説明】
【００９１】
【図１】本発明の好適な実施形態に係る交互燃焼式蓄熱型ラジアントチューブバーナ装置の全体構成を示す概略断面図である。
【図２】図１に示すラジアントチューブバーナ装置の縦断面図である。
【図３】図３（Ａ）は、図４の I−I線における断面図であり、図３（Ｂ）は、図４のII−II線における断面図である。
【図４】図３のIII−III線における断面図である。
【図５】図５（Ａ）は、円形プレートとクリアランスとの関係を示す断面図であり、図５（Ｂ）は、隙間の空気漏れ量と開口部の空気流量との関係を考察するための検討モデルを概念的に示す断面図である。
【図６】図６（Ａ）は、隙間寸法と、隙間の空気漏れ量との関係を示す線図であり、図６（Ｂ）は、隙間寸法と燃焼排ガスのNOx濃度との関係を示す線図である。
【図７】図７（Ａ）及び図７（Ｂ）は、円形プレート廻りの隙間分布を概念的に示す断面図であり、図７（Ｃ）は、遮蔽した隙間の角度範囲と、燃焼排ガスのNOx濃度との関係を示す図表である。
【図８】図８（Ａ）は、排気側の円形プレート及び蓄熱体の関係を概念的に示す概略斜視図であり、図８（Ｂ）は、燃焼排ガスの噴流断面積の変化を示す線図である。
【図９】外周カバーを備えたラジアントチューブバーナ装置において円形プレートの開口部から空気希釈室に流出する二次燃焼空気流の流れを概略的に示す斜視図である。
【図１０】図９と同様に二次燃焼空気流の流れを概略的に示す縦断面図である。
【図１１】外周カバーを備えないラジアントチューブバーナ装置において空気希釈室に流入する二次燃焼空気の流れを概略的に示す斜視図である。
【図１２】図１１と同様に二次燃焼空気流の流れを概略的に示す縦断面図である。
【符号の説明】
【００９２】
１：一次燃焼室
２：エアスロート部
３：空気希釈室
４：主燃焼室
１０：円形プレート
１１：基端側伝熱管
１２：開口部
１３：蓄熱体
１４：ラジアントチューブ
１５：バーナユニット
１６：先端側伝熱管
１７：燃料供給路
１７ａ：燃料噴射ノズル
１８：一次空気流路
１８ａ、１８ｂ：一次空気吐出口
１９：４方弁
２０：エアケース
２１：バーナガン
２６：一次空気給送管
２７：燃料供給管
２８：パイロット燃料管
３０：円筒形外周カバー
３１：固着手段
４０：パイロット燃料噴射部
４１：保炎管
４２：保炎部
【図１】
2004279024.tif 000003
【図２】
2004279024.tif 000004
【図３】
2004279024.tif 000005
【図４】
2004279024.tif 000006
【図５】
2004279024.tif 000007
【図６】
2004279024.tif 000008
【図７】
2004279024.tif 000009
【図８】
2004279024.tif 000010
【図９】
2004279024.tif 000011
【図１０】
2004279024.tif 000012
【図１１】
2004279024.tif 000013
【図１２】
2004279024.tif 000014